(57)【要約】【課題】面圧の負荷状態を容易且つ安全に確認することができるスライディングノズル装置を提供する。【解決手段】バネボックス１３の前面部は開口部とされ、カバー部材１７によって覆われている。バネボックス１３内には、コイル状の圧縮バネ１４が収納されており、棒状のピン１９が圧縮バネ１４を挿通している。ピン１９の前端部には、圧縮バネ１４を下ノズル２５側から上ノズル２８側に向けて押圧する板状の押圧部材１５が接続されている。圧縮バネ１４の圧縮量を検知する面圧チェックゲージ１６は、押圧部材１５の前面部に立設され、押圧部材１５と共に可動する棒状の可動部材１８と、カバー部材１７とから構成され、カバー部材１７の前面部には、可動部材１８の先端部１８ａが出没する孔１７ａが設けられている。可動部材１８の先端部１８ａには、カバー部材１７に対する可動部材１８の相対位置を示す目印となる段差部１８ｂが形成されている。【選択図】図２
2011025261.tif 000002
【特許請求の範囲】
【請求項１】
圧縮バネの弾発力を利用して面圧を負荷する面圧負荷機構を備え、前記圧縮バネが下ノズル側から上ノズル側に向けて押圧されるスライディングノズル装置において、
前記圧縮バネの圧縮量を検知する面圧チェックゲージが、該圧縮バネが収納されたバネボックスの正面部に設けられていることを特徴とするスライディングノズル装置。
【請求項２】
請求項１記載のスライディングノズル装置において、前記圧縮バネを押圧する押圧部材に設けられ、該押圧部材と共に可動する可動部材と、前記バネボックスに固定され、不動点となる不動部材とから前記面圧チェックゲージが構成され、前記不動部材に対する前記可動部材の相対位置を示す目印が該可動部材に設けられているスライディングノズル装置。
【請求項３】
請求項２記載のスライディングノズル装置において、前記可動部材が棒状とされ、その先端部に前記目印が設けられているスライディングノズル装置。
【請求項４】
請求項３記載のスライディングノズル装置において、前記不動部材が、前記バネボックスの正面部を覆うカバー部材からなり、前記可動部材の先端部が出没する孔が前記カバー部材に設けられているスライディングノズル装置。
【発明の詳細な説明】
【技術分野】
【０００１】
本発明は、スライディングノズル装置に関し、特に、面圧の負荷状態を確認する機構を備えたスライディングノズル装置に関する。
【背景技術】
【０００２】
連続鋳造プロセスにおいて、溶融金属容器から流出する溶融金属の流量制御に使用されるスライディングノズル装置は、固定プレートと摺動プレートの間に溶融金属が浸入しないように、プレート間に所定の面圧を負荷する機構を備えている。面圧負荷機構としては、圧縮バネの弾発力を利用してプレート間に面圧を負荷する方法が一般的であり、例えば、圧縮バネが収納されたバネボックスを両側方部に備える開閉金枠を固定金枠に押し付けた後、開閉金枠を固定金枠に固定することにより面圧を負荷する。
【０００３】
開閉金枠を固定金枠に押し付ける方式には油圧方式と手動方式があり、油圧方式には、スライド金枠の移動を利用して開閉金枠を固定金枠に押し付ける方式（例えば特許文献１、２参照）と、加圧治具を用いて開閉金枠を固定金枠に押し付ける方式とがある。
【０００４】
面圧を負荷する場合、面圧値が所定範囲内にあるかどうか管理すると共に、一対のバネボックスを介して均等に面圧が負荷されるようにする必要がある。このため、スライディングノズル装置には、面圧の負荷状態を確認するための面圧チェックゲージ５４がバネボックス５０に設けられている（図４参照）。面圧チェックゲージ５４は、バネボックス５０の上端部に段差状に形成された第一の切欠部５６ａ及び第二の切欠部５６ｂと、バネボックス５０に収納された圧縮バネ（図示省略）を押圧する押圧部材５１の側面部に形成された凹陥部５５とからなる。
図４は、特許文献１に記載されている面圧負荷方式を示したものであるが、面圧が負荷されていない図４（Ａ）の状態から、図４（Ｂ）に示すように、固定金枠（図示省略）に基端部が軸支されたフック５３を、押圧部材５１の両端部に設けられた係合突起５２に掛止することにより、圧縮バネに弾発力が発生し、プレート間に面圧が負荷される。面圧が正常に負荷されている場合、凹陥部５５の下縁部は、第一の切欠部５６ａの底辺と第二の切欠部５６ｂの底辺との間に位置する。即ち、各バネボックス５０の押圧部材５１に形成されている凹陥部５５の下縁部の位置を目視することによって、面圧の負荷状態を確認することができる。
【先行技術文献】
【特許文献】
【０００５】
【特許文献１】国際公開第２００２／０９００１７号パンフレット
【特許文献２】特開平１１−２５４１２６号公報
【発明の概要】
【発明が解決しようとする課題】
【０００６】
しかしながら、溶融金属容器（鍋）を９０°回転させ、鍋底にスライディングノズル装置が取り付けられている状態でプレートの交換を行う際、従来のスライディングノズル装置では、面圧チェックゲージがバネボックスの側面部に設けられているため、鍋底にリブ等が設けられている場合、面圧チェックゲージがリブ等に隠れて見づらいうえ、高熱を帯びている鍋底に近づかなければならず、危険を伴うものであった。
【０００７】
本発明はかかる事情に鑑みてなされたもので、面圧の負荷状態を容易且つ安全に確認することができるスライディングノズル装置を提供することを目的とする。
【課題を解決するための手段】
【０００８】
上記目的を達成するため、本発明は、圧縮バネの弾発力を利用して面圧を負荷する面圧負荷機構を備え、前記圧縮バネが下ノズル側から上ノズル側に向けて押圧されるスライディングノズル装置において、前記圧縮バネの圧縮量を検知する面圧チェックゲージが、該圧縮バネが収納されたバネボックスの正面部に設けられていることを特徴としている。
ここで、「バネボックスの正面部」とは、スライディングノズル装置を装着している溶融金属容器の底面を正面視した際、正面に位置するバネボックスの部位をいう。
【０００９】
また、本発明に係るスライディングノズル装置では、前記圧縮バネを押圧する押圧部材に設けられ、該押圧部材と共に可動する可動部材と、前記バネボックスに固定され、不動点となる不動部材とから前記面圧チェックゲージが構成され、前記不動部材に対する前記可動部材の相対位置を示す目印が該可動部材に設けられていることが好ましい。
【００１０】
また、本発明に係るスライディングノズル装置では、前記可動部材を棒状とし、その先端部に前記目印を設けてもよい。
【００１１】
また、本発明に係るスライディングノズル装置では、前記バネボックスの正面部を覆うカバー部材を前記不動部材とし、前記可動部材の先端部が出没する孔を前記カバー部材に設けてもよい。
【発明の効果】
【００１２】
本発明に係るスライディングノズル装置では、圧縮バネの圧縮量を検知する面圧チェックゲージが、該圧縮バネが収納されたバネボックスの正面部に設けられているので、面圧状態を確認するために鍋底に近づく必要がないだけでなく、一対のバネボックスの面圧状態を一度に確認することができる。これにより、面圧の負荷状態を容易且つ安全に確認することができ、作業性を向上させることができる。
【図面の簡単な説明】
【００１３】
【図１】本発明の第一の実施の形態に係るスライディングノズル装置の部分正面図である。
【図２】図１のＡ−Ａ矢視断面図であり、（Ａ）は面圧負荷前、（Ｂ）は面圧負荷時の状態を示す。
【図３】本発明の第二の実施の形態に係るスライディングノズル装置を構成するバネボックス部分の斜視図であり、（Ａ）は面圧負荷前、（Ｂ）は面圧負荷時の状態を示す。
【図４】従来のスライディングノズル装置を構成するバネボックス部分の斜視図であり、（Ａ）は面圧負荷前、（Ｂ）は面圧負荷時の状態を示す。
【発明を実施するための形態】
【００１４】
続いて、添付した図面を参照しつつ、本発明を具体化した実施の形態につき説明し、本発明の理解に供する。
【００１５】
［第一の実施の形態］
本発明の第一の実施の形態に係るスライディングノズル装置１０の部分正面図を図１に、そのＡ−Ａ矢視断面図を図２（Ａ）、（Ｂ）に示す。鍋底にスライディングノズル装置１０が取り付けられている溶融金属容器２９を９０°回転させ、スライド金枠１１が正面に位置する状態で、固定プレート２７及び摺動プレート２６の交換を行うことを前提とし、スライド金枠１１側を「前」側、固定金枠１２側を「後」側として説明する。
【００１６】
スライディングノズル装置１０は、固定プレート２７及び摺動プレート２６と、溶融金属容器２９の底面に固定され、固定プレート２７を保持する固定金枠１２と、固定金枠１２に対して開閉可能に設けられ、摺動プレート２６を保持するスライド金枠１１と、スライド金枠１１を移動させる油圧シリンダ（図示省略）と、固定プレート２７と摺動プレート２６との間に面圧を負荷するバネボックス１３とを備えている。固定プレート２７には上ノズル２８が、摺動プレート２６には下ノズル２５がそれぞれ接続される。
【００１７】
バネボックス１３は、スライド金枠１１の移動方向に長い箱状とされ、スライド金枠１１の両側部にそれぞれ設置されている。バネボックス１３の後端部は、固定金枠１２に軸支され、スライド金枠１１の移動方向と直交する面内で回動可能とされている。また、バネボックス１３のスライド金枠１１がわ側面部には、スライド金枠１１を固定金枠１２に押し付ける帯板状の押圧部１３ａが形成されている。
【００１８】
バネボックス１３の前面部は開口部とされ、カバー部材１７によって覆われている。バネボックス１３内には、コイル状の圧縮バネ１４が収納されており、棒状のピン１９が圧縮バネ１４を挿通している。ピン１９の前端部には、圧縮バネ１４を下ノズル２５側から上ノズル２８側に向けて押圧する板状の押圧部材１５が接続されている。一方、ピン１９の後端部には、図示しないラックギアと噛合するピニオンギア２０が装着されている。面圧負荷時、スライド金枠１１の移動に伴ってラックアンドピニオン機構によりピニオンギア２０が回転する。これに伴い、ピン１９が軸方向に移動し、ピン１９に接続された押圧部材１５により圧縮バネ１４が押圧される。この圧縮バネ１４の弾発力を利用して、固定プレート２７と摺動プレート２６との間に面圧が負荷される。
【００１９】
次に、上記構成を有する面圧負荷機構に設けられた面圧チェックゲージ１６について説明する。
圧縮バネ１４の圧縮量を検知する面圧チェックゲージ１６は、押圧部材１５の前面部に立設され、押圧部材１５と共に可動する棒状の可動部材１８と、バネボックス１３の前面部を覆うカバー部材１７（不動部材）とから構成される。
【００２０】
カバー部材１７の前面部（正面部）には、可動部材１８の先端部１８ａが出没する孔１７ａが設けられている（図１参照）。一方、可動部材１８の先端部１８ａには、カバー部材１７（不動部材）に対する可動部材１８の相対位置を示す目印となる段差部１８ｂが形成されている（図２参照）。
【００２１】
押圧部材１５により圧縮バネ１４が押圧されると、押圧部材１５と共に可動部材１８が後方に移動する。これに伴い、可動部材１８の先端部１８ａに形成されている段差部１８ｂがバネボックス１３内に埋没する。面圧が正常に負荷されている場合、図２（Ｂ）に示すように、段差部１８ｂの位置は、孔１７ａの下面に近接した位置となる。このように、不動点となるカバー部材１７に対する段差部１８ｂの相対位置を目視することにより、面圧の負荷状態を容易に管理することができる。
【００２２】
［第二の実施の形態］
図３（Ａ）、（Ｂ）に、本発明の第二の実施の形態に係るスライディングノズル装置を構成するバネボックス部分の斜視図を示す。なお、第一の実施の形態と同じ構成要素には同符号を付し、説明を省略する。
【００２３】
本実施の形態では、摺動プレート２６を保持するスライド金枠１１が、固定金枠１２に対して開閉可能に設けられた開閉金枠（図示省略）によって支持されている。そして、開閉金枠の両側面部に、それぞれバネボックス３０が設置されている。
【００２４】
第一の実施の形態と同様、バネボックス３０の前面部は開口部とされ、バネボックス３０内には、コイル状の圧縮バネ１４が収納されている。棒状のピン１９が圧縮バネ１４を挿通し、ピン１９の前端部には、圧縮バネ１４を下ノズル２５側から上ノズル２８側に向けて押圧する直方体状の押圧部材３１が接続されている。押圧部材３１の長手方向側の両端面には、固定金枠１２に基端部が軸支されたフック３３を掛止するための係合突起３２が設けられている。
【００２５】
面圧チェックゲージ３４は、押圧部材３１の前面部に立設され、押圧部材３１と共に可動する棒状の可動部材３５と、バネボックス３０の前面部に設置された山形鋼からなる不動部材３６とから構成される。
【００２６】
不動部材３６の前面部（正面部）には、可動部材３５が挿通する孔３６ａが設けられており、可動部材３５の先端部３５ａには、不動部材３６に対する可動部材３５の相対位置を示す目印となる段差部３５ｂが形成されている。面圧が正常に負荷されている場合、図３（Ｂ）に示すように、段差部３５ｂの位置は、孔３６ａの下面に近接した位置となる。このように、不動部材３６に対する段差部３５ｂの相対位置を目視することにより、面圧の負荷状態を容易に管理することができる。
【００２７】
以上、本発明の実施の形態について説明してきたが、本発明は何ら上記した実施の形態に記載の構成に限定されるものではなく、特許請求の範囲に記載されている事項の範囲内で考えられるその他の実施の形態や変形例も含むものである。例えば、上記実施の形態では、可動部材の先端部に段差部を設けることにより目印を形成しているが、可動部材の先端部を色で塗り分けて目印を形成してもよい。また、上記実施の形態における面圧負荷機構は、スライド金枠の移動を利用してスライド金枠を固定金枠に押し付ける方式としているが、加圧治具を用いて開閉金枠を固定金枠に押し付ける方式や手動方式でもよく、圧縮バネの弾発力を利用して面圧を負荷する機構であればよい。
【符号の説明】
【００２８】
１０：スライディングノズル装置、１１：スライド金枠、１２：固定金枠、１３：バネボックス、１３ａ：押圧部、１４：圧縮バネ、１５：押圧部材、１６：面圧チェックゲージ、１７：カバー部材（不動部材）、１７ａ：孔、１８：可動部材、１８ａ：先端部、１８ｂ：段差部（目印）、１９：ピン、２０：ピニオンギア、２５：下ノズル、２６：摺動プレート、２７：固定プレート、２８：上ノズル、２９：溶融金属容器、３０：バネボックス、３１：押圧部材、３２：係合突起、３３：フック、３４：面圧チェックゲージ、３５：可動部材、３５ａ：先端部、３５ｂ：段差部（目印）、３６：不動部材、３６ａ：孔
【図１】
2011025261.tif 000003
【図２】
2011025261.tif 000004
【図３】
2011025261.tif 000005
【図４】
2011025261.tif 000006